(57)【特許請求の範囲】
【請求項１】
アナログ放送波を受信して当該アナログ放送波に基づく映像信号及び音声信号を出力するアナログ放送受信モードと、デジタル放送波を受信して当該デジタル放送波に基づく映像信号及び音声信号を出力するデジタル放送受信モードと、を備えるテレビ放送受信装置において、
前記アナログ放送受信モード時において、電源ＯＮ時にデジタル放送波を自動走査する自動走査手段と、
前記自動走査手段により受信可能なチャンネルが検出された場合に、その旨を所定の表示態様で表示装置にＯＳＤ表示させるＯＳＤ表示手段と、
当該チャンネルの視聴を前記アナログ放送受信モードから前記デジタル放送受信モードに切り替えるか否かを選択する選択手段と、
前記選択手段による選択結果に基づいて、当該チャンネルの視聴を前記アナログ放送受信モードから前記デジタル放送受信モードに切り替えるか否かを判断する判断手段と、
前記判断手段により、前記チャンネルの視聴を前記アナログ放送受信モードから前記デジタル放送受信モードへ切り替えると判断された場合に、前記チャンネルの視聴を前記アナログ放送受信モードから前記デジタル放送受信モードへと切り替え設定する設定手段と、
を備え、
前記自動走査手段は、受信可能なチャンネルが検出されない場合には、一定時間間隔で、デジタル放送波の自動走査を繰り返して行うことを特徴とするテレビ放送受信装置。
【発明の詳細な説明】
【技術分野】
【０００１】
本発明は、テレビ放送受信装置に関する。
【背景技術】
【０００２】
近年、既存のアナログ放送に加えて、地上波デジタル放送が開始され、アナログ放送波及びデジタル放送波の両方を受信することが可能なテレビ放送受信装置が開発されている。しかし、デジタル放送の開始時期は地域及びチャンネルによって異なり、地上波デジタル放送が開始されるまで、ユーザはアナログ放送を視聴しなければならない。そのため、ユーザの地域で所定のチャンネルのデジタル放送が開始されても、アナログ放送を視聴していると、デジタル放送が開始されてことに気がつかない場合がある。そこで、アナログ放送波を受信してアナログ放送のチャンネルを選局した後に、当該チャンネルに相当するデジタル放送のチャンネルの放送信号を受信した場合には、アナログ放送の当該チャンネルに相当するデジタル放送のチャンネルが受信可能であることをＯＳＤ表示により表示するテレビ放送受信装置が知られている（例えば、特許文献１）。
【０００３】
また、アナログ放送波とデジタル放送波のどちらを走査するかを選択設定できるようにし、選択設定された放送波のみを走査してチャンネル登録を行うことにより、チャンネル登録を短時間で行えるテレビ放送受信装置も知られている（例えば、特許文献２）。
【特許文献１】特開２００４−３２０４４９号公報
【特許文献２】特開２００５−０８６３６７号公報
【発明の開示】
【発明が解決しようとする課題】
【０００４】
しかしながら、実際には、当該地域で所定のチャンネルのデジタル放送が開始されていても、例えば、周囲に高層ビルが存在する等の周囲環境等の影響により、当該所定のチャンネルの中に受信できないデジタル放送のチャンネルが含まれている場合がある。そのため、特許文献１のテレビ放送受信装置において、視聴しているアナログ放送のチャンネルに相当するデジタル放送のチャンネルが周囲環境等の影響により受信できない場合には、当該地域において他のチャンネルのデジタル放送が開始されていても、デジタル放送が開始されていることをユーザに通知することができない。また、特許文献２のデジタル放送受信装置では、ユーザがデジタル放送波のチャンネル走査を行わない限り、当該地域においてデジタル放送が開始されているか否かを判断することはできない。
【０００５】
本発明の課題は、より確実にユーザにデジタル放送開始を通知できるテレビ放送受信装置を提供することである。
【課題を解決するための手段】
【０００６】
請求項１に記載の発明は、アナログ放送波を受信して当該アナログ放送波に基づく映像信号及び音声信号を出力するアナログ放送受信モードと、デジタル放送波を受信して当該デジタル放送波に基づく映像信号及び音声信号を出力するデジタル放送受信モードと、を備えるテレビ放送受信装置において、
前記アナログ放送受信モード時において、電源ＯＮ時にデジタル放送波を自動走査する自動走査手段と、
前記自動走査手段により受信可能なチャンネルが検出された場合に、その旨を所定の表示態様で表示装置にＯＳＤ表示させるＯＳＤ表示手段と、
当該チャンネルの視聴を前記アナログ放送受信モードから前記デジタル放送受信モードに切り替えるか否かを選択する選択手段と、
前記選択手段による選択結果に基づいて、当該チャンネルの視聴を前記アナログ放送受信モードから前記デジタル放送受信モードに切り替えるか否かを判断する判断手段と、
前記判断手段により、前記チャンネルの視聴を前記アナログ放送受信モードから前記デジタル放送受信モードへ切り替えると判断された場合に、前記チャンネルの視聴を前記アナログ放送受信モードから前記デジタル放送受信モードへと切り替え設定する設定手段と、
を備え、
前記自動走査手段は、受信可能なチャンネルが検出されない場合には、一定時間間隔で、デジタル放送波の自動走査を繰り返して行うことを特徴としている。
【発明の効果】
【０００９】
請求項１に記載の発明によれば、自動走査手段により、アナログ放送受信モード時において、所定のタイミングでデジタル放送波が自動走査され、自動走査手段によって受信可能なチャンネルが検出された場合に、ＯＳＤ表示手段により、その旨が所定の表示態様で表示装置にＯＳＤ表示され、選択手段により、当該チャンネルの視聴をアナログ放送受信モードからデジタル放送受信モードに切り替えるか否かが選択され、判断手段により、選択手段の選択結果に基づいて、当該チャンネルの視聴をアナログ放送受信モードからデジタル放送受信モードに切り替えるか否かが判断され、判断手段により、当該チャンネルの視聴をアナログ放送受信モードからデジタル放送受信モードへ切り替えると判断された場合に、設定手段により、チャンネルの視聴がアナログ放送受信モードからデジタル放送受信モードへと切り替え設定されるので、周囲環境等の影響によりデジタル放送が開始されたチャンネルの中に受信できないチャンネルが含まれていても、受信できる他のチャンネルにおいてデジタル放送が開始されていることを検出でき、より確実にユーザにデジタル放送開始を通知することができる。
また、ユーザが、デジタル放送が開始されたチャンネルをアナログ放送受信モードで視聴するかデジタル放送受信モードで視聴するかを選択することができ、当該テレビ放送受信装置の使い勝手を良くすることができる。
また、ユーザが、デジタル放送が開始されたチャンネルをデジタル放送受信モードで視聴することを選択すると、当該チャンネルの視聴がデジタル放送受信モードに自動で切り替え設定されるので、ユーザが何ら設定操作等を行わなくても、当該切替設定がなされるので、当該テレビ放送受信装置の使い勝手をより良くすることができる。
【００１０】
また、自動走査手段は、電源ＯＮ時にデジタル放送波の自動走査を行うので、新たにデジタル放送が開始されたチャンネルを迅速に通知することができる。
また、自動走査手段は、受信可能なチャンネルが検出されない場合には、一定時間間隔で、デジタル放送波の自動走査を繰り返して行うので、アナログ放送受信モードで受信している間に、新たにデジタル放送が開始されたチャンネルを検出することができ、当該チャンネルでデジタル放送が開始されたことを確実に通知することができる。
【発明を実施するための最良の形態】
【００１３】
以下、図を参照して、本発明に係るテレビ放送受信装置を実施するための最良の形態を詳細に説明する。
【００１４】
本発明の実施形態に係るテレビ放送受信装置１００は、例えば、図１に示すように、アンテナ１，デジタルチューナ２，アナログチューナ３，復調部４，デコーダ部５，アナログデコーダ部６，ＯＳＤ回路７，リモコン信号受光部８，制御部９，リモコンＲ等を備えて構成され、表示装置２００，音声出力装置３００と接続されている。
【００１５】
アンテナ１は、例えば、パラボラアンテナやＵＨＦアンテナ等であり、アナログ放送波及びデジタル放送波を含む放送波を受信し、ＲＦ（Radio  Frequency）信号をデジタルチューナ２及びアナログチューナ３に出力する。なお、ＣＡＴＶ回線を介してデジタル放送波を受信する場合には、アンテナ１の代わりに、接続ケーブル（図示省略）等が備えられてもよい。
【００１６】
デジタルチューナ２は、例えば、ミキサ（図示省略），選局回路（図示省略）等を備えて構成され、ミキサ，選局回路等により、アンテナ１から入力されたデジタル放送波のＲＦ信号からユーザが所望するチャンネルのＩＦ（Intermediate  Frequency）信号を生成し、復調部４に出力する。
【００１７】
アナログチューナ３は、例えば、ミキサ（図示省略），選局回路（図示省略）等を備えて構成され、ミキサ，選局回路等により、アンテナ１から入力されたアナログ放送波のＲＦ信号からユーザが所望するチャンネルのＩＦ（Intermediate  Frequency）信号を生成し、アナログデコーダ部６に出力する。
【００１８】
復調部４は、例えば、逆インタリーブ回路（図示省略），誤り訂正回路（図示省略），復調回路（図示省略）等を備えて構成される。そして、復調部４は、逆インタリーブ回路，誤り訂正回路，復調回路等により、ＩＦ信号に誤り訂正処理や復調処理等を施してＴＳ（Transport  Stream）信号に変換し、デコーダ部５に出力する。
【００１９】
デコーダ部５は、例えば、デマルチプレクサ（図示省略），復号回路（図示省略）等を備えて構成される。そして、デコーダ部５は、デマルチプレクサにより、ＴＳ信号を映像信号，音声信号，ＰＳＩ／ＳＩ（Program  Specific  Information／Service  Information）に分離し、復号回路により、映像信号及び音声信号に復号処理を施し、映像信号を表示装置２００に出力し、音声信号を音声出力装置３００に出力する。
【００２０】
アナログデコーダ部６は、例えば、復調回路（図示省略）等を備えて構成される。そして、アナログデコーダ部６は、ＩＦ信号に含まれる映像信号を音声信号とを分け、復調回路により、当該映像信号及び音声信号に復調処理等を施し、映像信号を表示装置２００に出力し、音声信号を音声出力装置３００に出力する。
【００２１】
ＯＳＤ回路７は、例えば、制御部９から入力される制御信号に従って、ＯＳＤ（On  Screen  Display）信号をデコーダ部５又はアナログデコーダ部６から表示装置２００へ出力される映像信号に合成する。
【００２２】
リモコン信号受光部８は、例えば、リモコンＲから送信された操作信号としての信号光を受光し、これを電気信号に変換して制御部９に出力する。
【００２３】
制御部９は、図２に示すように、ＣＰＵ（Central  Processing  Unit）９０，ＲＡＭ（Random  Access  Memory）９１，記憶部９２等を備えて構成され、デジタルチューナ２，アナログチューナ３，復調部４，デコーダ部５，アナログデコーダ部６，ＯＳＤ回路７等と接続され、テレビ放送受信装置１００の各部の制御を行う。
【００２４】
ＣＰＵ９０は、記憶部９２に格納された処理プログラム等を読み出して、ＲＡＭ９１に展開して実行することにより、テレビ放送受信装置１００全体の制御を行う。
【００２５】
ＲＡＭ９１は、ＣＰＵ９０により実行された処理プログラム等を、ＲＡＭ９１内のプログラム格納領域に展開するとともに、入力データや上記処理プログラムが実行される際に生じる処理結果等をデータ格納領域に格納する。
【００２６】
記憶部９２は、例えば、プログラムやデータ等が予め記憶されている記録媒体（図示せず）を有しており、この記録媒体は、例えば、半導体メモリ等で構成されている。また、記憶部９２は、ＣＰＵ９０がテレビ放送受信装置１００全体を制御する機能を実現させるための各種データ，各種処理プログラム，これらプログラムの実行により処理されたデータ等を記憶する。より具体的には、記憶部９２は、例えば、図２に示すように、受信設定データ９２Ａ，第１走査プログラム９２Ｂ，第２走査プログラム９２Ｃ，第１デコードプログラム９２Ｄ，第２デコードプログラム９２Ｅ，自動走査プログラム９２Ｆ，ＯＳＤ表示プログラム９２Ｇ，判断プログラム９２Ｈ，設定プログラム９２Ｉ，計時プログラム９２Ｊ等を格納している。
【００２７】
受信設定データ９２Ａは、例えば、受信可能なチャンネルと、当該チャンネルの視聴モードとが関連づけられたデータである。視聴モードは、例えば、後述するアナログ放送受信モード，デジタル放送受信モード等である。
【００２８】
第１走査プログラム９２Ｂは、例えば、ＣＰＵ９０に、リモコンＲから入力される操作信号に基づいて、デジタルチューナ２を制御して、デジタル放送波を走査させ、ユーザが所望するチャンネルのＲＦ信号を検出させ、当該ＲＦ信号からＩＦ信号を生成させる機能を実現させるプログラムである。また、第１走査プログラム９２Ｂは、ＣＰＵ９０に、リモコンＲから入力される操作信号に基づいて、デジタルチューナ２を制御して、デジタル放送波を走査させ、当該デジタル放送波に含まれるチャンネルのＲＦ信号を検出する機能を実現させるプログラムである。
【００２９】
第２走査プログラム９２Ｃは、例えば、ＣＰＵ９０に、リモコンＲから入力される操作信号に基づいて、アナログチューナ３を制御して、アナログ放送波を走査させ、ユーザが所望するチャンネルのＲＦ信号を検出させ、当該ＲＦ信号からＩＦ信号を生成させる機能を実現させるプログラムである。また、第２走査プログラム９２Ｃは、ＣＰＵ９０に、リモコンＲから入力される操作信号に基づいて、アナログチューナ３を制御して、アナログ放送波を走査させ、当該アナログ放送波に含まれるチャンネルのＲＦ信号を検出する機能を実現させるプログラムである。
【００３０】
第１デコードプログラム９２Ｄは、例えば、ＣＰＵ９０に、復調部４，デコーダ部５を制御して、デジタルチューナ２から入力されるＩＦ信号から映像信号，音声信号等を生成させ、当該映像信号を表示装置２００へ出力させ、当該音声信号を音声出力装置３００に出力させる機能を実現させるプログラムである。
【００３１】
第２デコードプログラム９２Ｅは、例えば、ＣＰＵ９０に、アナログデコーダ部６を制御して、アナログチューナ３から入力されるＩＦ信号から映像信号，音声信号等を生成させ、当該映像信号を表示装置２００へ出力させ、当該音声信号を音声出力装置３００に出力させる機能を実現させるプログラムである。
【００３２】
そして、デジタル放送受信モードにおいては、ＣＰＵ９０が第１走査プログラム９２Ｂ及び第１デコードプログラム９２Ｄを実行することにより、デジタル放送波に基づく映像信号及び音声信号が表示装置２００及び音声出力装置３００に出力され、アナログ放送受信モードにおいては、ＣＰＵ９０が第２走査プログラム９２Ｃ及び第２デコードプログラム８３Ｅを実行することにより、アナログ放送波に基づく映像信号及び音声信号が表示装置２００及び音声出力装置３００に出力される。
【００３３】
自動走査プログラム９２Ｆは、例えば、ＣＰＵ９０に、アナログ放送受信モード時において、所定のタイミングで、デジタル放送波を自動走査する機能を実現させるプログラムである。より具体的には、自動走査プログラム９２Ｆは、ＣＰＵ９０に、アナログ放送受信モード時において、所定のタイミングで、デジタルチューナ２を制御して、デジタル放送波を走査させ、当該デジタル放送波に含まれるチャンネルのＲＦ信号を検出する機能を実現させるプログラムである。所定のタイミングは、例えば、電源ＯＮ時，自動走査して受信可能なチャンネルが検出されなかった場合に、前回自動走査してから一定時間経過後等である。ＣＰＵ９０は、かかる自動走査プログラム９２Ｆを実行することにより、自動走査手段として機能する。
【００３４】
ＯＳＤ表示プログラム９２Ｇは、例えば、ＣＰＵ９０に、ＯＳＤ回路７に制御信号を入力することにより制御して、所定の表示態様のＯＳＤ表示のＯＳＤ信号をデコーダ部５及びアナログデコーダ部６から表示部２００へ出力される映像信号に合成させ、当該所定のＯＳＤ表示を映像信号に基づく映像に重ね合わせて表示装置２００に出力させる機能を実現させるプログラムである。より具体的には、ＯＳＤ表示プログラム９２Ｇは、ＣＰＵ９０に、自動走査プログラム９２Ｆを実行することにより、デジタル放送波から受信可能なチャンネルを検出した場合に、ＯＳＤ回路７を制御して、「チャンネル１，２，８において、デジタル放送が開始されています」等のＯＳＤ信号（例えば、デジタル放送波から受信可能なチャンネルとしてチャンネル１，２，８を検出した場合。）を映像信号に合成させ、表示装置２００に表示させるプログラムである。ＣＰＵ９０は、かかるＯＳＤ表示プログラム９２Ｇを実行することにより、ＯＳＤ表示手段として機能する。
【００３５】
判断プログラム９２Ｈは、例えば、ＣＰＵ９０に、自動走査プログラム９２Ｆを実行することにより、デジタル放送波から受信可能なチャンネルを検出した場合に、ＯＳＤ回路７を制御して「チャンネル１，２、８の視聴をデジタル放送に切り替えますか？」等のＯＳＤ信号（例えば、デジタル放送波から受信可能なチャンネルとしてチャンネル１，２，８を検出した場合。）を映像信号に合成させ、表示部２００に表示させるとともに、リモコンＲから入力される、当該チャンネルの視聴モードをアナログ放送受信モードからデジタル放送受信モードに切り替えるか否かを選択する操作信号に基づいて、当該チャンネルの視聴モードをアナログ放送受信モードからデジタル放送受信モードに切り替えるか否かを判断する機能を実現させるプログラムである。ＣＰＵ９０は、かかる判断プログラム９２Ｈを実行することにより、判断手段として機能する。
【００３６】
設定プログラム９２Ｉは、例えば、ＣＰＵ９０に、判断プログラム９２Ｈを実行することにより、当該チャンネルの視聴モードをアナログ放送受信モードからデジタル放送受信モードに切り替えると判断した場合に、当該チャンネルの視聴モードとしてデジタル放送受信モードを受信設定データ９２Ａに記憶することにより、当該チャンネルの視聴モードをアナログ放送受信モードからデジタル放送受信モードに切り替える機能を実現させるプログラムである。ＣＰＵ９０は、かかる設定プログラム９２Ｉを実行することにより、設定手段として機能する。
【００３７】
計時プログラム９２Ｊは、例えば、ＣＰＵ９０に、自動走査プログラム９２Ｆの実行による自動走査を行ってからの時間を計時し、一定時間経過したか否かを判断する機能を実現させるプログラムである。ＣＰＵ９０は、かかる計時プログラム９２Ｊを実行することにより、計時手段として機能する。
【００３８】
リモコンＲは、例えば、テレビ放送受信装置１００の電源をオン／オフするための電源キー（図示省略），各種操作信号を入力するための操作キー（図示省略），各種キーが押下されることによって入力される信号に応じた信号光を発光する発光部（図示省略）等を備えて構成され、ユーザにより操作されて各種キーが押下されることによって入力される信号に応じた信号光を発光する。また、リモコンＲは、ＣＰＵ９０が自動走査プログラム９２Ｆを実行することにより検出されたチャンネルの視聴モードをアナログ放送受信モードからデジタル放送受信モードに切り替えるか否かを選択する操作信号を出力し、選択手段として機能する。
【００３９】
表示装置２００は、例えば、ＬＣＤ（Liquid  Crystal），ＰＤＰ（Plasma  Display  Panel）等の表示画面（図示省略）を備え、当該表示画面にデコーダ部５，アナログデコーダ部６から入力される映像信号に基づく映像を表示する。
【００４０】
音声出力装置３００は、例えば、スピーカ（図示省略）等を備え、デコーダ部５，アナログデコーダ部６から入力される音声信号に基づく音声を出力する。
【００４１】
次に、上述のような構成のテレビ放送受信装置１００の動作について、図３に示すフローチャートを参照しながら説明する。
まず、ユーザにより、リモコンＲの電源キーが押下されて、テレビ受信装置１００の電源がＯＮされ（ステップＳ１）、ＣＰＵ９０が第２走査プログラム９２Ｃ及び第２デコードプログラム９２Ｅを実行することにより、ユーザが所望するチャンネルをアナログ放送受信モードで受信すると（ステップＳ２）、ＣＰＵ９０は、自動走査プログラム９２Ｆを実行することにより、デジタルチューナ２を制御して、デジタル放送波を自動走査させるとともに、計時プログラム９２Ｊを実行することにより、当該自動走査が行われてからの時間を計時する（ステップＳ３）。
【００４２】
次に、ＣＰＵ９０は、自動走査プログラム９２Ｆの実行に基づいて、デジタル放送波から受信可能なチャンネルが検出されたか否かを判断する（ステップＳ４）。
【００４３】
ステップＳ４において、ＣＰＵ９０が、デジタル放送波から受信可能なチャンネルが検出されなかったと判断した場合には（ステップＳ４；Ｎｏ）、ＣＰＵ９０は、計時プログラム９２Ｊを実行することにより、ステップＳ３の処理を行ってから一定時間経過したか否かを判断する（ステップＳ５）。
ステップＳ５において、ＣＰＵ９０が、ステップＳ３の処理を行ってから一定時間経過したと判断した場合には（ステップＳ５；Ｙｅｓ）、ステップＳ３に戻る。
ステップＳ５において、ＣＰＵ９０が、ステップＳ３の処理を行ってから一定時間経過していないと判断した場合には（ステップＳ５；Ｎｏ）、ステップＳ５の処理を繰り返す。
【００４４】
ステップＳ４において、ＣＰＵ９０が、デジタル放送波から受信可能なチャンネルが検出されたと判断した場合には（ステップＳ４；Ｙｅｓ）、ＣＰＵ９０は、ＯＳＤ表示プログラム９２Ｇを実行することにより、ＯＳＤ回路７を制御して、「チャンネル１，２，８において、デジタル放送が開始されています」等のＯＳＤ信号（例えば、デジタル放送波から受信可能なチャンネルとしてチャンネル１，２，８を検出した場合。）を映像信号に合成して、表示装置２００に表示させる（ステップＳ６）。
【００４５】
次に、ＣＰＵ９０は、判断プログラム９２Ｈを実行することにより、ＯＳＤ回路７を制御して、「チャンネル１，２，８の視聴をデジタル放送に切り替えますか？」等のＯＳＤ信号（例えば、デジタル放送波から受信可能なチャンネルとしてチャンネル１，２，８を検出した場合。）を映像信号に合成させ、表示部２００に表示させ、リモコンＲからの操作信号に基づいて、当該チャンネルの視聴モードをアナログ放送受信モードからデジタル放送受信モードに切り替えるのか否かを判断する（ステップＳ７）。
【００４６】
ステップＳ７において、ＣＰＵ９０が、リモコンＲからの操作信号に基づいて、当該チャンネルの視聴モードをアナログ放送受信モードからデジタル放送受信モードに切り替えないと判断した場合には（ステップＳ７；Ｎｏ）、本処理を終了する。
ステップＳ７において、ＣＰＵ９０が、リモコンＲからの操作信号に基づいて、当該チャンネルの視聴モードをアナログ放送受信モードからデジタル放送受信モードに切り替えると判断した場合には（ステップＳ７；Ｙｅｓ）、ＣＰＵ９０は、設定プログラム９２Ｉを実行することにより、当該チャンネルの視聴モードとしてデジタル放送波受信モードを受信設定データ９２Ａに記憶することにより、当該チャンネルの視聴モードをアナログ放送受信モードからデジタル放送受信モードに切り替える設定を行って（ステップＳ８）、本処理を終了する。
【００４７】
以上に説明した本発明に係るテレビ放送受信装置１００によれば、ＣＰＵ９０が自動走査プログラム９２Ｆを実行することにより、アナログ放送受信モード時において、所定のタイミングでデジタル放送波が自動走査され、受信可能なチャンネルが検出された場合に、ＣＰＵ９０がＯＳＤ表示プログラム９２Ｇを実行することにより、その旨が所定の表示態様で表示装置２００にＯＳＤ表示され、リモコンＲにより、当該チャンネルの視聴をアナログ放送受信モードからデジタル放送受信モードに切り替えるか否かを選択する操作信号が出力され、ＣＰＵ９０が判断プログラム９２Ｈを実行することにより、リモコンＲから入力された操作信号に基づいて、当該チャンネルの視聴をアナログ放送受信モードからデジタル放送受信モードに切り替えるか否かが判断され、当該チャンネルの視聴をアナログ放送受信モードからデジタル放送受信モードへ切り替えると判断された場合に、ＣＰＵ９０が設定プログラム９２Ｉを実行することにより、チャンネルの視聴がアナログ放送受信モードからデジタル放送受信モードへと切り替え設定されるので、周囲環境等の影響によりデジタル放送が開始されたチャンネルの中に受信できないチャンネルが含まれていても、受信できる他のチャンネルにおいてデジタル放送が開始されていることを検出でき、より確実にユーザにデジタル放送開始を通知することができる。
また、ユーザが、デジタル放送が開始されたチャンネルをアナログ放送受信モードで視聴するかデジタル放送受信モードで視聴するかを選択することができ、当該テレビ放送受信装置１００の使い勝手を良くすることができる。
また、ユーザが、デジタル放送が開始されたチャンネルをデジタル放送受信モードで視聴することを選択すると、当該チャンネルの視聴がデジタル放送受信モードに自動で切り替え設定されるので、ユーザが何ら設定操作等を行わなくても、当該切替設定がなされるので、当該テレビ放送受信装置１００の使い勝手をより良くすることができる。
【００４８】
また、ＣＰＵ９０が自動走査プログラム９２Ｆを実行することにより、電源ＯＮ時にデジタル放送波の自動走査が行われるので、新たにデジタル放送が開始されたチャンネルを迅速に通知することができる。
また、ＣＰＵ９０が自動走査プログラム９２Ｆを実行することにより、受信可能なチャンネルが検出されない場合には、一定時間間隔で、デジタル放送波の自動走査を繰り返して行うので、アナログ放送受信モードで受信している間に、新たにデジタル放送が開始されたチャンネルを検出することができ、当該チャンネルでデジタル放送が開始されたことを確実に通知することができる。
【００４９】
なお、アナログ放送受信モードからデジタル放送受信モードへの切替は、ユーザに通知することなく、自動で行われることとしてもよい。
また、テレビ放送受信装置に、表示装置及び音声出力装置が表示部及び音声出力部として一体型に設けられてもよい。
受信可能なチャンネルが検出された場合に表示装置に表示される所定の表示態様は、上記した文字表示に限られるものではなく、受信可能なチャンネルが認識できる表示態様であれば、記号や図形などでもよい。
【図面の簡単な説明】
【００５０】
【図１】本発明に係るテレビ放送受信装置の構成を示す図である。
【図２】本発明に係るテレビ放送受信装置の構成を示すブロック図である。
【図３】本発明に係るテレビ放送受信装置の動作を説明するフローチャートである。
【符号の説明】
【００５１】
９０  ＣＰＵ（自動走査手段，ＯＳＤ表示手段，判断手段，設定手段）
９２Ｆ  自動走査プログラム（自動走査手段）
９２Ｇ  ＯＳＤ表示プログラム（ＯＳＤ表示手段）
９２Ｈ  判断プログラム（判断手段）
９２Ｉ  設定プログラム（設定手段）
１００  テレビ放送受信装置
２００  表示装置
Ｒ  リモコン（選択手段）
【図１】
0004802669.tif 000002
【図２】
0004802669.tif 000003
【図３】
0004802669.tif 000004